Podtech/llm-jp-corpus-v4-ja_patent huggingface dataset:
(57)【要約】      （修正有）【課題】推進動力として使用されるディーゼルエンジンによる大気汚染を防止する駆動装置を提供する。【解決手段】デイーゼルエンジンの排気微粒子を削減する為、蓄電池をＶＶＶＦインバータで、三相交流に変換し、非常に効率が高く、安価で高性能なＳＲモーターに接続して移動動力を得る事により、大気汚染を削減する。動力源である蓄電池の充電には、漁港内に設置した夜間の低額充電設備を利用して、利用者の安全と利便をはかる。【選択図】図１
2012060870.tif 000002
【特許請求の範囲】
【請求項１】
［蓄電池］をＶＶＶＦインバタで三相交流に変換しＳＲモーターに接続して移動動力に活用する。
【発明の詳細な説明】
【技術分野】
【０００１】この発明は、（公序良俗違反につき、不掲載）排ガスを削減させ、漁業の振興に蓄電池の活用に関するものである。
【背景技術】
【０００２】従来、（公序良俗違反につき、不掲載）は、排気微粒子を排出して大気汚染を発生させ、気管支喘息や発ガン等罹病の原因であった。又［公開特許公報］特開平１−２１５６１６号で認可の三相誘導発電機は列車駆動の上では今も重要な装置であるが、其の後開発された、ＳＲモータに比較すると［既に時代遅れ］である。
【発明の開示】
【発明が解決しようとする課題】
【０００３】これはつぎのような問題点があった。
従来、ディーゼルエンジンの燃料である、軽油には硫黄や多環化合物等の不純物が多く含まれ、特に問題は硫黄で、硫黄分で多ければそれだけＳＯ２（亜硫酸ガス）の排出量が多くなり、大気を汚染させ気管支喘息や発ガン等罹病も増大する。
本発明は、以上のような欠点を無くす為になされたものである。
【課題を解決するための手段】
【０００４】この欠点を解決する為の手段として蓄電池をＶＶＶＦインバータで三相電流に変換し、ＳＲモータを活用する［夜間低額充電設備］を漁港内に設置して利用者の安全と夜間充電の利便をはかる。
【発明の効果】
【０００５】最近開発されたＳＲモーターを活用して、ディゼル排気微粒子を削減する事で、人間の健康を増進させ。
設備費、燃料等の出費を、△７０％削減させる事で、漁業経済を振興させ、釣り船やレジャアボウト・貨物車や２輪車も低価格になる。地球温暖化と、枯渇する燃料問題にも大きに貢献する。［安価で高性能なＳＲモーター］の特性は、直巻き（シリーズ）モーターに似ていて、運転効率は９０％以上と非常に効率の高いモーターで。また、トルク・回転数の特性を同じサイズのシリーズモーターと比較すると、起動トルクで約４倍、通常の回転トルクではほぼ３〜４倍のトルクを出すことができ。従来のモーターと比べると、同じサイズであれば従来よりも高出力を得ることができ、同じ出力であれば従来よりも小さいモーターで済みます。
高価な永久磁石もコイルも使用しない単純なローター構造によつて、価格が安く、小型・軽量・高速で・しかも大トルクで可変速運転ができる優れたモーターである。（航空機などの駆動にも最適と言はれている）
【図面の簡単な説明】
【図１】はＶＶＶＦの集積回路図である。
【図２】は本発明の斜視図である
【図３】は本発明の斜視図である。
【図１】
2012060870.tif 000003
【図２】
2012060870.tif 000004
【図３】
2012060870.tif 000005
(57)【要約】【課題】  オーブントースタなどで好みの厚さの食パン２枚を重ねて焼き、焼いた外側の面をそれぞれ内側にして、やわらかさと焼き屑が飛び散らないようにした重ね焼き食パンを提供する。【解決手段】  オーブントースタなどで好みの厚さの食パン２枚（１）（２）を重ねて焼き（４）、焼いた外側の面をそれぞれ内側にし、間にバター、ジャム（３）を入れたトースト、又は具（３）などを入れてサンドイッチにした重ね焼き食パンを特徴とする。【選択図】図１
2012060988.tif 000002
【特許請求の範囲】
【請求項１】
オーブントースタなどで好みの厚さの食パン２枚（１）（２）を重ねて焼き（４）、焼いた外側の面をそれぞれ内側にし、間にバター、ジャム（３）を入れたトースト、又は具（３）などを入れてサンドイッチにした重ね焼き食パン。
【発明の詳細な説明】
【技術分野】
【０００１】    この発明は、オーブントースタなどで好みの厚さの食パン２枚を重ねて焼き、焼いた外側の面をそれぞれ内側にし、間にバター、ジャムを入れたトースト、又は具などを入れてサンドイッチにした重ね焼き食パンに関するものである。
【背景技術】
【０００２】    従来、オーブントースタなどで好みの厚さで別々に焼いた食パン２枚の間にバター、ジャムを入れたトースト、又は具などを入れたサンドイッチしかなかった。
【発明の概要】
【発明が解決しようとする課題】
【０００３】  これは、次のような欠点での不愉快さがあった。
従来は、オーブントースタなどで好みの厚さで別々に焼いた食パン２枚の間にバター、ジャムを入れたトースト、又は具などを入れたサンドイッチを食べることが普通であるが、これだとそれぞれの１枚１枚の両面が焼いた面なので、噛むとき小さな焼き屑が飛び散り不愉快なものだった。本発明は、このような不愉快を解消し、やわらかく、焼き屑が飛び散らずに食べられるようにするためになされたものである。
【課題を解決するための手段】
【０００４】  オーブントースタなどで好みの厚さの食パン２枚（１）（２）を重ねて焼く（４）ものである。
本発明は、以上の構成よりなる重ね焼き食パンである。
【発明の効果】
【０００５】  オーブントースタなどで好みの厚さで重ねて焼いた食パン２枚の内側を、それぞれ外側にすれば、焼いた側ではないので、噛むとやわらかさが感じられ感触が良く、また焼き屑が飛び散らないので子供から大人まで楽しめるトースト、サンドイッチとして喜ばれ、一風違った趣のあるものとして味わえる。
【図面の簡単な説明】
【０００６】
【図１】本発明の斜視図である。
【図２】本発明の斜視図である。
【発明を実施するための形態】
【０００７】  以下、本発明を実施するための形態について説明する。
オーブントースタなどで好みの厚さの食パン２枚を重ねて焼き、焼いた外側の面をそれぞれ内側にし、間にバター、ジャムを入れたトースト、又は具などを入れたサンドイッチとして食べるものである。
本発明は、以上のような構造である。
これを食べるときは、やわらかさを感じ、焼き屑が飛び散らずに安心して、一風違った趣のあるトースト又はサンドイッチとして食べられる。
【符号の説明】
【０００８】  １  食パン
２  食パン
３  バター、ジャム、具など
４  重ね焼き食パン
【図１】
2012060988.tif 000003
【図２】
2012060988.tif 000004
(57)【要約】      （修正有）【課題】梅干しの製造過程で生じる産業廃棄物としての「梅塩の原液」を廃棄する事無く、有効に利用する事の出来る「梅エキス入り塩で漬け込む鯖の糠漬（へしこ）」の製造方法を提供する。【解決手段】梅干しの製造過程に生じる「梅塩の原液」を捨てずに梅塩を作り、この梅塩で鯖の塩漬けおよび糠漬をする事によって、生臭さを取り除き、かつ旨味・まろやかさを引き出す。【選択図】なし【特許請求の範囲】
【請求項１】
梅干製造の過程で生じる「梅塩の原液」を廃棄する事無く、水分を除去して「梅塩」を作り、内臓を取り除いた鯖に「梅塩」をすり込んで漬け込んだ「鯖の塩漬」。
【請求項２】
鯖の内臓を取り除き、「梅塩」をすり込んで漬け込み、約一ヵ月後、「うるち米の米糠に、とうがらし・みりん・醤油等の調味料を加えたもの」と、「鯖の塩漬」を混ぜ合わせて、さらにもう一度漬け込んだ「鯖の糠漬（へしこ）」。
【発明の詳細な説明】
【発明の詳細な説明】
【技術分野】
【０００１】  本発明は、梅干製造の過程で生じる産業廃棄物としての「梅塩の原液」を廃棄する事無く、有効に利用する事の出来る「梅エキス入り塩で漬け込む鯖の糠漬（へしこ）」の製造方法を提供する。
【背景技術】
【０００２】  鯖の糠漬けは、作る人によって味の違いがあったが、漬け込む時期、調味料の種類や量の違い、また重石の重さの違いだけであって「根本的な味」においては大差無かった。【０００３】  梅の産地では、梅干の製造過程で生じる「梅塩の原液」は、産業廃棄物になっているにもかかわらず、そのまま河川に流されていた。
【発明が解決しようとする課題】
【０００４】  ところが、上記従来の手段においては、産業廃棄物である「梅塩の原液」の具体的な処理対策が定着していなかった。
【０００５】  鯖の塩漬・糠漬は本来生臭いものであった。
【０００６】  このように、梅干の製造過程で発生する「梅塩の原液」の処理に困っていた。
また鯖の塩漬・糠漬の生臭さを無くしたり、旨さの根本を変えられる様な画期的な方法は今まで無かった。
【課題を解決するための手段】
【０００７】  しかして、本発明は、このような技術背景のもとで鋭意研究を進めた結果、「梅塩の原液」の再利用をする事によって、梅塩に多く含まれるクエン酸やリンゴ酸の効果により、魚特有の臭みが無くなり、風味もまろやかになる。
すなわち、「鯖の糠漬（へしこ）」の旨さの根本を変えられる事が出来、今までに無い「旨くまろやかな味の鯖の糠漬（へしこ）」を発明させるに至った。
【０００８】  すなわち、本発明は（１）梅干しの製造過程に生じる「梅塩の原液」を廃棄する事無く、濾過処理をし、煮詰めて水分を蒸発させ「梅塩」を製造する。
【０００９】  また（２）、梅干しの製造過程に生じる「梅塩の原液」を廃棄する事無く、濾過処理をし、減圧蒸留処理をし、水分を除去して「梅塩」を製造する。
【００１０】  また（３）、市販の新しい塩は一切使わず、上記（１）または（２）等で製造した「梅塩」だけを用いて「鯖の塩漬」をし、鯖に塩が浸透した約１ヶ月後、「うるち米の米糠に、とうがらし・みりん・醤油等の調味料を加えたもの」と、「鯖の塩漬」とをさらにもう一度混ぜ合わせて、仕上げの「鯖の糠漬」をする。
【発明を実施するための形態】
【００１１】  以下、本発明に係る実施の形態を、図面にもとづき、その作用と併せて詳細に説明する。
【００１２】〔第１の実施の形態〕
図１は、第１の実施の形態で、「梅塩」を鯖全体に付けている全体像を示した図である。
【図面の簡単な説明】
【図１】  図１は、第１の実施の形態における、鯖を背割りし内臓を取り除き梅塩を鯖全体にすり込んでいる全体像である。
【符号の説明】１・・・頭から背割りし、内蔵を取り除いた鯖
２・・・作業台
３・・・梅塩を鯖全体に付けている
【図１】
2012060990.tif 000002
(57)【要約】【課題】  この発明は、植物の根の部分まで水が十分に行き渡るようにするために、管の先端に注水孔を設け、それを地中突き刺して使用する潅水ノズルを提供する。【解決手段】  まっすぐな管（１）の一端を細くした管（２）の、その細くなった側面部分に注水孔（３）を放射状に設けるとともに、先端部分に目詰まりを防ぐためのくさび形をした駒（６）が取り付けてあるのを特徴とする。【選択図】図１
2012060991.tif 000002
【特許請求の範囲】
【請求項１】
（イ）  まっすぐな管（１）の一端を細くし、その細くなった側面の部分（２）に小さな    注水孔（３）を放射状に空ける。
（ロ）  （イ）の先端部分に、注水孔のある位置の径よりわずかに大きい径を持つくさび    形をした駒（６）を設ける。
以上の構成よりなる地中灌水ノズル。
【発明の詳細な説明】
【技術分野】
【０００１】  この発明は、まっすぐな管の一端を細くし、その細くなった側面の部分に小さな注水孔を放射状に空けるとともに、注水孔のある位置の径よりわずかに大きい径をしたくさび形の駒を設けた地中灌水ノズルに関するものである。
【背景技術】
【０００２】  従来、植物に灌水するときは、ジョウロや撒水ノズルを使って、植物が植栽されている地表の部分に撒水していた。
また、植物の根の部分に直接、灌水するものとして、地中に差し込んだ灌水のためのノズルの先端部分に穿孔し、その孔に麻紐等を差し込み、上部に取り付けた貯水容器から重力によって流体が落下する原理を利用して灌水する実用新案登録第３０５９９８７号公報記載の潅水ノズルが知られている。
【発明の開示】
【発明が解決しようとする課題】
【０００３】  ジョウロや撤水ノズルを使って、植物が植栽されている部分の地表に撒水するものは、植物の根の部分に水が届くまでに長い時間がかかる。そのために相当量の水が必要となる。また、撒水された状態は、表土の部分が湿っている割には、地中部分は湿り気が弱い。そのために、直射日光等によって、地表が乾きやすく保水能力に欠ける。
実用新案登録第３０５９９８７号は、１個の植物に対して１個の装置が必要であり、コストがかかる。また、装置は、ノズルの先端の孔に、ゆっくり注水のための紐が差し込んであるので、地中に刺す込むときにこの紐が取れ、土や小石等が詰まることがある。
さらに、この装置は、流体が自然に落下する原理を利用しているために、灌水が完了するまでに相当の時間がかかることや、貯水容器の水がなくなるまで灌水し続けるので、根の部分に過剰の水が供給され、根腐れの原因となる。
本発明は、以上のような欠点をなくすためになされたものである。
【課題を解決するための手段】
【０００４】  本発明は、
（イ）  まっすぐな管の一端を細くして、その細くなった側面の部分に注水のための小さ      な孔を放射線状に空ける。細くなった管の最先端部分は水が漏れないように閉じる      ておく。このノズルを地中に刺し込んで、植物の根の部分に直接、灌水することが      できるようにした。
（ロ）  なお、このノズルを土に刺し込む時に、注水孔に土等が詰まるのを防ぐために、      ノズルの先に、注水孔のある位置の径よりわずかに大きい径をもつくさび形をした      駒を設けた。
以上のような構成よりなる地中灌水ノズルである。
【発明の効果】
【０００５】  本発明は、
（イ）  水道のホースと管のもう一方の端を連結することにより、地中に刺し込んだノズ      ルの部分から、植物の根の部分に直接、灌水することができるので、少ない水量で      植物を潤すことができる。
（ロ）  潅水した水は表土よりも下にあるので、長時間の保水できる。
（ハ）  先端部分がくさび形をした駒になっているので、地中に刺し込むとき、円筒状の      空洞ができ、注水孔に土や小石等が詰まることがない。
（二）  仮に孔が詰まっても、水道の水圧で取り除くことができる。
（ホ）  本発明は、地中に刺したり抜いたりすることが簡単にできるので、多くの植物を      これ１本で賄うことができる。
（ヘ）  注水孔を増やすことで、水量を多くすることができる。
（ト）  本発明は、灌水のためだけでなく、液肥や、根から吸収される液体農薬を散布す      るのにも応用できる。
（チ）  市販の撒水ノズルの先端部分を、水道のホースの径と同じ大きさに加工したもの      と連結することで、水量を自由に手元で調節できる。
以上のような効果が期待できる。
【発明を実施するための形態】
【０００６】  以下、本発明を実施するための最良の形態について説明する。
水道の蛇口に繋いだホースに連結できる金属製のまっすぐな管（１）の一端を徐々に細くし、その細くなった側面部分（２）に、管の中心からみて放射状になるように、小さな注水孔（３）を数個、空ける。
最先端部分（４）は、水漏れが生じないように塞いでおく。
塞いだ最先端部分を、いぼのような小さな円筒形の突起とし、そこをくさび形をした駒を取り付けるためのオスねじ（５）を切る。
くさび形をした金属製の駒（６）の径は、注水孔のある位置の径よりわずかに大きい程度とする。
くさび形の駒の一端は、ノズルの先を取り付けるメスねじ（７）とする。
管の上端部分（８）は、外向きに窪みを設け、差し込んだホースが抜けないようにし、バンドで止める。
【図面の簡単な説明】
【０００７】
【図１】  本図は斜視図である。
【図２】  本図は断面図である。
【符号の説明】
【０００８】１  金属製のまっすぐな管
２  管の一端が細くなった部分
３  注水孔
４  管の最先端部分
５  くさび形をした駒を取り付けるオスねじ
６  くさび形をした駒
７  ノズルの先を取り付けるメスねじ
８  ホースを連結する部分
【図１】
2012060991.tif 000003
【図２】
2012060991.tif 000004
(57)【要約】【課題】  粘着シートと仕掛けを組み合わせることにより、確率のよい駆除ができ、ネズミ駆除器として提供する。【解決手段】  ネズミの好む味の餌（７）を仕掛けの外に仕掛けて、粘着シート（６）がネズミの目に触れることなくネズミを誘き寄せ、餌（７）を食べると、粘着シート（６）の上に落ち、接着すると同時に蓋に鍵がかかり、二段構えで駆除することを特徴とする。【選択図】図１
2012060993.tif 000002
【特許請求の範囲】
【請求項１】
前後板（１）に付いている傾斜の溝に天板Ｌ型（４）に取り付けてある半円軸（５）を溝にはめ込み、タテ溝の上の部分に横向きに置き、回転すると半円軸（５）にあわせたタテ溝に入り回転が出来なくなる。
天板Ｌ型（４）が、天板と衝立と蓋の３つの機能を備えている。
粘着シート（６）で接着と鍵の二段構えを装着した、おとし穴鍵式ネズミ捕り器。
【発明の詳細な説明】
【発明の詳細な説明】
【技術分野】
【０００１】この発明は、仕掛けの外でネズミの好む餌で誘き寄せ、ネズミの目に触れない所に粘着シートがあり、餌を食べると、粘着シートの上に落ちると同時に蓋が閉まり鍵が掛かる、粘着シートと鍵の二段構えでネズミを駆除するネズミ捕り器に関するものである。
【背景技術】
【０００２】従来、ネズミの通り道や部屋などの隅に設置する１枚物のネズミ捕り粘着シートや、金網を使って中に餌を仕掛け誘き寄せ、餌を食べると入口の網フタが閉じる仕組みのネズミ捕りがあった。
【発明が解決しようとする課題】
【０００３】これは次のような欠点があった。
（イ）１枚物の粘着シートは直接ネズミの目に触れ、まだ知恵がついてない子ネズミは捕れますが、親ネズミはネズミ本来の警戒心が強く知恵のある生き物なので、親ネズミを駆除することが大変難しかった。
（ロ）カゴの形で入口があり、中に餌があってもネズミは警戒心が強いので中に入らないため、親ネズミを駆除することが難しかった。
（ハ）ネズミを駆除する毒物がありますが、ネズミの好む味ではないので駆除することが難しかった。
本発明は、これらの欠点を除くためになされたものである。
【課題を解決するための手段】
【０００４】前後板（１）には傾斜になっている溝と半円軸（５）に合わせたタテの溝がついている前後板（１）と左右板（２）を取り付け、底板（３）を差し込む。
天板Ｌ型（４）がＬ型になっている事で、ネズミが天板Ｌ型（４）の上に上がらないで横から餌（７）を取られないための衝立になり、ネズミが仕掛けにかかり落ちた時には蓋になる天板Ｌ型（４）２枚に半円軸（５）を４ヶ所に取り付け、その半円軸（５）を前後板（１）の溝にはめ込む、粘着シート（６）を底板（３）の上に置き、餌（７）を天板Ｌ型（４）２枚で軽く挟み、ネズミを誘き寄せる。
そして、ネズミが餌（７）を食べると、天板Ｌ型（４）が外れ、ネズミが粘着シートの上に落ちると同時に半円軸（５）が回転してタテ溝に入り、半円軸（５）が回転出来なくなり、天板Ｌ型（４）の衝立の部分が蓋になり、ネズミを閉じ込め、粘着シート（６）と鍵の二段構えでネズミを駆除する事ができる。
本発明は、以上のような構成よりなるおとし穴鍵式ネズミ捕り器である。
【発明を実施するための形態】
【０００５】以下、本発明の実施の形態について説明する。
（イ）  前後板（１）と左右板（２）を取り付け、底板（３）を差し込む。
（ロ）  天板Ｌ型（４）に半円軸（５）を取り付け、前後板（１）の溝にはめ込む。
（ハ）  粘着シート（６）を底板（３）の上に置く。
（ニ）  天板Ｌ型（４）２枚で餌（７）を軽く挟みネズミを誘き寄せる。
本発明のおとし穴鍵式ネズミ捕り器は、ネズミの好む餌（７）を天板Ｌ型（４）２枚で軽く挟み、ネズミがよく出る場所に設置する。
ネズミが餌（７）を食べると天板Ｌ型（４）が外れ、天板Ｌ型（４）に付いている半円軸（５）が回転して、ネズミが粘着シート（６）の上に落ちると同時に半円軸（５）が溝に入り蓋に鍵がかかり、粘着シート（６）と鍵の二段構えで駆除ができる。
【発明の効果】
【０００６】ネズミは習性、警戒心、知恵がある生き物なので、それを逆手にとり、好む味の餌、仕掛けが目に触れない事との二段構えで駆除が出来る極めて確率が高くなる。
【図面の簡単な説明】
【図１】本発明の斜視図である。
【図２】本発明の一部を切り欠いた側面図である。
【図３】本発明の他の実施例を示す斜視図である。
【符号の説明】１  前後板    （軸用溝付）
２  左右板    （溝付）
３  底板      （差し込み式）
４  天板Ｌ型  （指抜き付）
５  半円軸
６  粘着シート（市販商品）
７  餌        （市販商品）
※ネズミの好むシガーフライ類
【図１】
2012060993.tif 000003
【図２】
2012060993.tif 000004
【図３】
2012060993.tif 000005
(57)【要約】【課題】吊架式ジャンパ線の風による横振れを防止した吊架式ジャンパ装置を提供する。【解決手段】複数の吊架用スペーサ３０と水平吊架装置２０とにより、等間隔に固定された２本又は４本のジャンパ線１０と、複数の吊架用スペーサ３０の最初と最後の前記吊架用スペーサ３０に取付けられた第１の取付け金具４０と、第１の取付け金具４０より上方向、及び下方向の位置で鉄塔１００に取付けられた第２の取付け金具５０と、第１の取付け金具４０と第２の取付け金具５０とに接続されて、２本又は４本のジャンパ線１０を鉄塔１００に固定する樹脂碍子６０とを有する。【選択図】      図１
2012060711.tif 000002
【特許請求の範囲】
【請求項１】
鉄塔の両側に、２本又は４本ずつ把持された架空送電線を、互いに接続する吊架式ジャンパ装置であって、
複数の吊架用スペーサと水平吊架装置とにより、等間隔に固定された２本又は４本のジャンパ線と、
前記複数の吊架用スペーサの最初と最後の前記吊架用スペーサに取付けられた第１の取付け金具と、
前記第１の取付け金具より上方向、及び下方向の位置で前記鉄塔に取付けられた第２の取付け金具と、
前記第１の取付け金具と前記第２の取付け金具とに接続されて、前記２本又は４本のジャンパ線を前記鉄塔に固定する樹脂碍子とを有することを特徴とする吊架式ジャンパ装置。
【発明の詳細な説明】
【技術分野】
【０００１】
本発明は、吊架式ジャンパ装置に係り、より詳しくは、吊架式ジャンパ線の風による横振れを防止した吊架式ジャンパ装置に関する。
【背景技術】
【０００２】
図２は、従来の吊架式ジャンパ装置の片側の構成を示す構成図である。図２において、図１に示すように、架空送電線７０が、鉄塔１００の両側に耐張碍子９０により牽引されている。両側の２本の架空送電線７０は、２本のジャンパ線１０によりそれぞれ電気的に接続されている。両側の架空送電線７０はそれぞれ４本であっても良く、その場合、ジャンパ線１０もそれぞれ４本となり、２本の場合と同様の構成で設置される。以下、両側の架空送電線７０が２本の場合を説明する。
【０００３】
再び図２において、２本のジャンパ線１０の水平部分は、複数の吊架用スペーサ３０により水平吊架装置２０が取付けられて、互いに等間隔に固定されている。２本のジャンパ線１０の垂直部分は、ジャンパスペーサ８０により、互いに等間隔に固定されている。また、水平吊架装置２０は、水平吊架装置支持具９５により耐張碍子９０端に牽引されている。
【０００４】
このような従来の吊架式ジャンパ装置においては、風による横振れにより断線、損傷などの障害が発生するため、２本のジャンパ線１０の水平部分や、水平部分と垂直部分とが交わる部分に横振れ防止用の重り等を設置していた。ところが、台風などの強風の場合には十分に対処することができず、断線、損傷などの障害が発生していた。
【０００５】
特許文献１には、架設延長する途中を分断されて引き留め係止されている送電線Ｄの端部同士を導通接続するジャンパ線ｄに重力方向の負荷を付与することにより該ジャンパ線の吹上を防止する装置１０であって、ジャンパ線に導通接続されている導線を内装して回転自在に支持されているとともに、吹き付ける風を受けるスパイラル形状の風受部１２が外周面に立設されている抵抗回転部材１１と、吹き付ける風を受ける回転翼２８を有してその抵抗回転部材を風の吹き付け方向に対して下側の風受部順方向に向かうとともに上側の風受部が逆方向に向かうように回転させる回転開始機構２１と、を備えている、旨が記載されている。
【先行技術文献】
【特許文献】
【０００６】
【特許文献１】特開２００８−２８９２９９号公報
【発明の概要】
【発明が解決しようとする課題】
【０００７】
本発明は、このような問題を解決するためになされたものであり、その目的は、吊架式ジャンパ線の風による横振れを防止した吊架式ジャンパ装置を提供する。
【課題を解決するための手段】
【０００８】
本発明の吊架式ジャンパ装置は、鉄塔の両側に、２本又は４本ずつ把持された架空送電線を、互いに接続する吊架式ジャンパ装置であって、複数の吊架用スペーサと水平吊架装置とにより、等間隔に固定された２本又は４本のジャンパ線と、複数の吊架用スペーサの最初と最後の吊架用スペーサに取付けられた第１の取付け金具と、第１の取付け金具より上方向、及び下方向の位置で鉄塔に取付けられた第２の取付け金具と、第１の取付け金具と第２の取付け金具とに接続されて、２本又は４本のジャンパ線を鉄塔に固定する樹脂碍子とを有することを特徴とする。
【発明の効果】
【０００９】
本発明によれば、吊架式ジャンパ線の風による横振れを防止した吊架式ジャンパ装置を提供することができる。
【図面の簡単な説明】
【００１０】
【図１】本発明による吊架式ジャンパ装置の構成を示す構成図。
【図２】従来の吊架式ジャンパ装置の片側の構成を示す構成図。
【発明を実施するための形態】
【実施例】
【００１１】
本発明の実施の形態について、図を用いて説明する。図１は、本発明の吊架式ジャンパ装置の構成を示す構成図である。図１において、第１の取付け金具４０、第２の取付け金具５０、及び樹脂碍子６０以外は図２と同様であるため、説明を省略する。したがって、本発明においても同様に、両側の架空送電線７０はそれぞれ４本であっても良く、その場合、ジャンパ線１０もそれぞれ４本となり、２本の場合と同様の構成で設置される。以下、両側の架空送電線７０が２本の場合を説明する。
【００１２】
再び図１において、第１の取付け金具４０が、２本のジャンパ線１０と水平吊架装置２０とを固定した複数の吊架用スペーサの、最初と最後の吊架用スペーサ３０に、それぞれ取付けられている。また、第２の取付け金具５０が、第１の取付け金具４０より上方向及び下方向の位置で、鉄塔１００にそれぞれ取付けられている。そして樹脂碍子６０が、第１の取付け金具４０と第２の取付け金具５０とにそれぞれ接続されて、２本のジャンパ線１０を鉄塔１００に固定している。
【００１３】
このように、本発明の吊架式ジャンパ装置においては、２本又は４本のジャンパ線１０が樹脂碍子６０により鉄塔１００に固定されるため、台風などの強風の場合においても、横振れによる吊架式ジャンパ装置の断線、損傷などの障害を防止することが可能となる。
【符号の説明】
【００１４】
１０  ジャンパ線
２０  水平吊架装置
３０  吊架用スペーサ
４０  第１の取付け金具
５０  第２の取付け金具
６０  樹脂碍子
７０  架空送電線
８０  ジャンパスペーサ
９０  耐張碍子
９５  水平吊架装置支持具
１００  鉄塔
【図１】
2012060711.tif 000003
【図２】
2012060711.tif 000004
(57)【要約】【課題】スクリーン表面で捕捉分離した篩渣を、最小限の装置で連続的に除去移送する。【解決手段】ゆっくり回転または走行するスクリーン１を通過させて流体２を流し、スクリーン表側で捕捉分離した篩渣３を、スクリーン裏側に設けた高圧水噴射口４から高圧水５を噴射して篩渣をスクリーン面から剥離させながら逆流洗浄するとともに、ポンプ６で吸引して、スクリーン表側に設けた樋状の篩渣排出口７に流入させ、さらに、それに接続する篩渣移送管８によって篩渣９を連続的に除去・移送する。篩渣除去後の流体１０はスクリーンを通過して流出する。【選択図】  図１
2012161745.tif 000002
【特許請求の範囲】
【請求項１】
ゆっくり回転または走行するスクリーンによって捕捉分離した篩渣を、スクリーン裏側に設けた高圧水噴射口から噴射する高圧水によってスクリーン面から剥離させながら逆流洗浄するとともに、ポンプで吸引し、スクリーン表側に設けた樋状の篩渣排除口に流入させ、さらに、それに接続する篩渣移送管によって篩渣を連続的に除去移送することを特徴とする、高圧水逆洗とポンプ吸引による篩渣の除去方法。
【発明の詳細な説明】
【技術分野】
【０００１】
本発明は、たとえば、汚水中に含まれる紙・繊維・汚物などの夾雑物を、設置場所の制約を受けず円滑に効率的に除去するための方法に関するものである。
【背景技術】
【０００２】
スクリーンにより汚水から分離された篩渣をスクリーン面から除去する方法として、従来「１．重力を利用し機械的に掻き落す」、「２．スクリーン面に沿った水流によって下流に掃流する」などの方法が採られてきた。しかし、「１」の方法では掻き落し装置に篩渣が付着しがちなこと、「２」の方法では「スクリーン面に沿った水流」や「その水流を受け入れる下流側の管渠」が存在しない場合は使用できないこと、さらに、除去した篩渣を移送するためにベルトコンベアなどの大がかりな機械設備が必要なこと、など、スクリーンを設置するにあたって多くの制約があった。
【先行技術文献】
【特許文献】
【０００３】
【特許文献１】特許公開２００７−１３８５４８
【特許文献２】特許公開２００８−２８０６６９
【特許文献３】特許公開平６−３０３
【発明の概要】
【発明が解決しようとする課題】
【０００４】
本発明は、掻落し装置に篩渣が付着しないようにすること、掻寄せた篩渣を下流に掃流するための水流やその流れを受け入れる下流側の管渠が存在しない場合でも処理できること、連続的に篩渣の除去が可能なこと、大がかりな機械設備がなくても篩渣の移送が可能なこと、などの課題を解決しようとするものである。
【課題を解決するための手段】
【０００５】
ゆっくり回転または走行するスクリーン１を通過させて流体を流し、スクリーン表側で捕捉分離した篩渣を、スクリーン裏側に設けた高圧水噴射口から高圧水を噴射して篩渣をスクリーン面から剥離させながら逆流洗浄するとともに、ポンプで吸引して、スクリーン表側に設けた樋状の篩渣排出口に流入させ、さらに、それに接続する篩渣移送管によって篩渣を連続的に除去・移送することを特徴とする、高圧水逆洗とポンプ吸引による篩渣の除去方法である。
【発明の効果】
【０００６】
本発明は、スクリーンによって捕捉分離された篩渣を最小限の装置で連続的に除去移送する方法であって、運転する機械装置は、回転または走行するスクリーン・高圧水を発生させるポンプ・篩渣を吸引するポンプ、という最小限の装置で構成され、スクリーンをゆっくり回転または走行させることにより、高圧水逆洗とポンプ吸引によってスクリーンは連続的に洗浄され目詰まりすることなく常に新しい面でろ過を継続することができる。
【図面の簡単な説明】
【０００７】
【図１】本発明の構成を示す断面図である。
【図２】本発明の構成を示す斜視図である。
【発明を実施するための形態】
【実施例】
【０００８】
図１及び図２において、ゆっくり回転または走行するスクリーン１を通過させて流体２を流し、スクリーン表側で捕捉分離した篩渣３を、スクリーン裏側に設けた高圧水噴射口４から高圧水５を噴射して篩渣をスクリーン面から剥離させながら逆流洗浄するとともに、ポンプ６で吸引して、スクリーン表側に設けた樋状の篩渣排出口７に流入させ、さらに、それに接続する篩渣移送管８によって篩渣9を連続的に除去・移送するものである。篩渣除去後の流体１０はスクリーンを通過して流出する。
【符号の説明】
【０００９】
１  スクリーン
２  篩渣除去前の流体
３  スクリーンで捕捉分離された篩渣
４  高圧水噴射口
５  高圧水
６  ポンプ
７  篩渣排除口
８  篩渣移送管
９  除去移送される篩渣
１０  篩渣除去後の流体
【図１】
2012161745.tif 000003
【図２】
2012161745.tif 000004
(57)【要約】【課題】有機物を利用して安価に二価鉄イオンを効率的に溶出させることができる二価鉄イオンを溶出する成形体の提供。【解決手段】水中に入れることにより水中に二価鉄イオンを発生させる二価鉄イオン溶出成形体であって、有機物と屑状又は紛状の鉄を混合して還元型熱処理炉に投入し、低酸素雰囲気状態で、加熱還元処理して得られる還元鉄と炭の焼結体及び還元鉄、炭の混合物で、粉状又は粒状に成形されている。【選択図】図１
2012161779.tif 000002
【特許請求の範囲】
【請求項１】
水中に入れることにより水中に二価鉄イオンを発生させる二価鉄イオン溶出成形体であって、有機物と屑状又は紛状の鉄を混合して還元型熱処理炉に投入し、低酸素雰囲気状態の中で、３００℃〜５００℃の間において加熱還元処理して焼結させ得られる還元鉄と炭の焼結体及び還元鉄、炭の混合物で、所定の形状に成形されていることを特徴とする二価鉄イオンを溶出する成形体。
【請求項２】
前記加熱還元処理して得られる焼結体が還元鉄と炭が混合焼結した焼結体であって粒状又は紛状であることを特徴とする請求項１に記載の二価鉄イオンを溶出する成形体。
【請求項３】
前記加熱還元処理して得られる還元鉄が粒状又は紛状であることを特徴とする請求項１又は２に記載の二価鉄イオンを溶出する成形体。
【請求項４】
前記加熱還元処理して得られる炭が粒状又は紛状であることを特徴とする請求項１〜３のいずれか１項に記載の二価鉄イオンを溶出する成形体。
【請求項５】
前記二価鉄イオンを溶出する成形体の形状が塊状又は板状に形成されていることを特徴とする請求項１〜４のいずれか１項に記載の二価鉄イオンを溶出する成形体。
【請求項６】
肥料として用いることを特徴とする請求項１〜５のいずれか１項に記載の二価鉄イオンを溶出する成形体。
【発明の詳細な説明】
【技術分野】
【０００１】本発明は、有機物と屑状又は紛状の鉄を混合して還元型熱処理炉に投入して得られる二価鉄イオンを溶出する成形体に関する。
【背景技術】
【０００２】従来この種の鉄イオン溶出体としては、鉄と炭を水溶性バインダーと共に混合して固めた多数の小塊を、非水溶性バインダーで固めて所定の形状に成形して水中に沈めることにより、鉄イオンを溶出させるようにした技術が開示されている（例えば、特許文献１参照）。
【先行技術文献】
【特許文献】
【特許文献】特開２００７−２６８５１１号公報
【発明の概要】
【発明が解決しようとする課題】
【０００３】しかしながら、上述の従来例では、鉄と炭を水溶性バインダーと共に混合して固めたものであるため、製造に手間がかかり生産性が非効率であるという問題があった。【０００４】本発明は、上述の問題点を解決するもので、その目的とするところは、有機物と屑状又は紛状の鉄を混合して還元型熱処理炉に投入して得ることができる二価鉄イオンを溶出する成形体を提供することにある。
【課題を解決するための手段】
【０００５】前記目的を達成するための手段として、請求項１記載の二価鉄イオンを溶出する成形体は水中に入れることにより水中に二価鉄イオンを発生させる二価鉄イオン溶出成形体であって、有機物と屑状又は紛状の鉄を混合して還元型熱処理炉に投入し、低酸素雰囲気状態の中で、３００℃〜５００℃の間において加熱還元処理して焼結させ得られる還元鉄と炭の焼結体及び還元鉄、炭の混合物で、所定の形状に成形されていることを特徴とする手段とした。【０００６】請求項５記載の二価鉄イオンを溶出する成形体は、請求項１〜４のいずれか１項に記載の二価鉄イオンを溶出する成形体において、前記二価鉄イオンを溶出する成形体の形状が塊状又は板状であることを特徴とする手段とした。
【発明の効果】
【０００７】以上述べたように、本発明による二価鉄イオンを溶出する成形体は大量に廃棄されている有機系廃棄物を主とする有機物と処分場のひっ迫などにより従来の埋め立て処理が困難になりつつある屑状又は紛状の鉄系の加工屑を材料に用いることで安価、かつ大量に製造することが可能となる。【０００８】とりわけ、材料となる有機物としては、容易に入手可能で、公共下水、し尿、各種工場排水、各種有機系の産業廃棄物などの生物的処理から副生する汚泥類及び農林水産、畜産などから発生する廃資源、海底や湖底、ダム、河川の底に溜まったヘドロなどが有利に使用できることから産業上極めて有用である。【０００９】さらに、二価鉄イオンは、海水中の植物連鎖の頂点にある植物プランクトンの餌となり、また、植物プランクトンの光合成で二酸化炭素を消費し、同時に海水中の生物の増殖とその活性によりヘドロを浄化するから、有明海など漁業被害が進む海域の再生にも役立つ。
【図面の簡単な説明】
【００１０】
【図１】本発明に係る有機物を利用した二価鉄イオンを溶出する成形体製造の実施形態を示す工程説明図である。
【発明を実施するための形態】
【００１１】以下にこの発明の実施例を説明する。
【実施例】
【００１２】有明海の底に溜まったヘドロと鉄系金属加工屑を適当に混合して、還元型熱処理炉に投入し、低酸素雰囲気状態の中で、３００℃〜５００℃の間において加熱還元処理して焼結させ二価鉄イオンを溶出する成形体を得た。【００１３】上記成形体を、地中の酸素が不足し微生物がメタンガスや硫化水素を発生させている堀底に投入することにより、堀の水質を改善することが確認された。【００１４】また、種もみと一定量の鉄粉と焼いた石膏を混ぜ合わせ、田んぼに直接まくコメづくりが既知の技術として各地で進められているが、一定量の上記成形物と水に十分浸した種もみを混ぜ合わせ、田んぼに直接まくことにより、一層の生産コストの低減が可能となる。
【図１】
2012161779.tif 000003
(57)【要約】【課題】果物は太陽の直射日光を受けて毎日日光浴をしている。その為、皮には有効な良い成分が集中している。本発明は、成人病を防ぐ成分を剥かずに食べる為になされたものである。【解決手段】図１に示す如く本体、刃、取っ手は球形の果物の表面に効率良く当たるため全体を少し湾曲させた。使用するときは取っ手を持ち、刃を果物の表面に当て、上側から下側に引くと表面に浅い溝が複数出来る。【選択図】図１
2012161582.tif 000002
【特許請求の範囲】
【請求項１】
本体（１）の先端に本体（１）に対し下向きに小さい刃（２）を複数設け、また本体（１）と一体となる取っ手（３）を有する事を特長とするヘルシーカッター
【発明の詳細な説明】
【技術分野】
【０００１】本発明は果物の皮を剥かないで食べる方法に関するものである。
【背景技術】
【０００２】現在、果物を食べる為には皮を剥いている。
その皮むき専門の皮むき機は数種類ある、健康に最も良い成分を剥いて捨てている。
【発明の概要】
【発明が解決しようとする課題】
【０００３】果物は太陽の直射日光を受けて毎日日光浴をしている。その為、皮には有効な良い成分が集中している。
動脈硬化防止始め多くの効果があります。現在売っている、柿、栗、カボチャ、サツマイモ、米、麦等昔は庭ですべて天日干しした。その為、昔の農家は庭が広く、敷地は３００坪が普通。その庭で天日干しした。
本発明は、成人病を防ぐ成分を剥かずに食べる為になされたものである。
【課題を解決するための手段】
【０００４】本体の先端に本体に対して下向きに小さい刃を複数設け、更に本体と一体となる取っ手を設ける。
図１に示す如く本体、刃、取っ手は球形の果物の表面に効率良く当たるため全体を少し湾曲させた。使用するときは取っ手を持ち、刃を果物の表面に当て、上側から下側に引くと表面に浅い溝が複数出来る。
更に、横向きに溝を付ける時は同様に刃を果物の表面に横向きに当て、手前に引けば縦横の浅い溝が果物の表面にできて、皮が十分に分断されるので、そのまま皮ごと食べても皮を剥いたのと同様、何の抵抗感もなく食べられる。
非常に簡単に成人病を予防する有効成分を食べる事が出来る。
【発明の効果】
【０００５】昔、農家では農産物を広い庭で太陽の光に当てた。それが当たり前。天日干しにする事により糖度が増した。直射日光を数カ月間受けた果物の皮を食べないのはあまりにもったいない。
皮には動脈硬化防止はじめ、さまざまな健康に良い成分が含まれている。
成人病は人間だけがかかる。野生の動物は皮ごと食べるので成人病にはならない。
日本全国から成人病がなくなれば、国の医療費も相当安くなる。
【図面の簡単な説明】
【０００６】
【図１】本発明の斜視図である
【図２】本発明の刃の側面図である
【発明を実施するための形態】
【０００７】湾曲した本体（１）の先端に刃（２）を複数設ける。取っ手（３）を持って刃（２）を果物の表面に当て取っ手（３）を上側から下側に引く事により従の浅い溝が複数出来る。
更に果物の横面に刃（２）を当て、手前に引けば、縦横の浅い溝が複数出来、皮を剥いたのと同じになり、皮の感覚が無くなり、皮ごと食べられる。
図１に示す如く全体を少し湾曲させた。本発明は以上のような構造である。
【符号の説明】
【０００８】１    本体
２    刃
３    取っ手
【図１】
2012161582.tif 000003
【図２】
2012161582.tif 000004
(57)【要約】【課題】洗濯後の靴下などは、洗濯機から取り出すときバラバラのため左右組み合せた状態で取り出すのは不可能だった。本発明は、洗濯時の洗濯ものを、まとめる洗えるクリップを提供する。【解決手段】挟みの腕部の先端に球形支柱の突起と留め穴を設け、留め穴の後部に拡張切りこみと、拡張破損防止穴を設ける。挟みの後部に吊りヒモの小穴をあけ吊りヒモを取り付ける。【選択図】図１
2012161585.tif 000002
【特許請求の範囲】
【請求項１】
挟みの腕部の先端に球形支柱の突起と留め穴を設け、留め穴の後部に拡張切りこみと拡張切りこみ破損防止穴を設け、挟みの後部に吊り下げヒモの穴を設け、吊り下げヒモを取り付けた洗えるクリップ
【発明の詳細な説明】
【技術分野】
【０００１】本発明は、洗濯ものをまとめて洗える、クリップに関するものである。
【背景技術】
【０００２】従来、洗濯するとき色々なものを一緒に洗うが、特に靴下などはバラバラになり洗濯後、組み合せに手間取っていた。
【発明の開示】
【発明が解決しようとする課題】
【０００３】洗濯後の靴下などは、洗濯機から取り出すとき、バラバラのため左右組み合せた状態で取り出すのは不可能だった。
本発明は以上の問題点を、解決するためになされたものである。
【課題を解決するための手段】
【０００４】挟みの腕部の先端に球形支柱の突起と留め穴を設け、留め穴の後部に、拡張切りこみと、拡張破損防止穴を設ける。
挟みの後部に吊りヒモの小穴をあける。以上の構成よりなる洗えるクリップ
【発明の効果】
【０００５】従来不可能とされていた洗濯後の靴下の組み合せを本発明ににより可能にし、手間が省け時間の短縮になる。本発明は、洗濯時だけじゃなく、布であれば色々な使い方ができる。
【発明を実施するための最良の形態】
【０００６】以下、本発明の実施の形態を説明する。
（イ）二又状の挟み  （１）の各腕部（２）の先端に球形支柱の突起（３）と留め穴（４）を設ける。
（ロ）留め穴（４）に拡張切りこみ（５）と拡張切りこみ破損防止穴（６）を設ける。
（ハ）挟み（１）の後部に吊り下げヒモの穴（７）を設け、ヒモ（８）を取り付ける。
本発明は以上のような構造である。
本発明を使用するときは、洗濯機に洗濯ものを入れるとき、靴下（９）などは左右組み合せて、洗えるクリップの腕部（２）にはさみこみ球形支柱の突起（３）を留め穴（４）に貫通させる。したがって、伸びた布地は球形支柱の突起（３）と留め穴（４）にしっかりとクリップし、そのまま洗濯できる。布地の厚さは、拡張切りこみ（５）で対応でき、クリップ自体柔軟性のある素材なので、洗濯機を傷めず、他の洗濯ものにまつわることもなく、洗濯後は組み合せた状態で干すことができる。
左右の組み合せができているので、手間が省け、時間の短縮になる。
【図面の簡単な説明】
【０００７】
【図１】本発明の斜視図
【図２】本発明の使用状態を示す斜視図
【符号の説明】
【０００８】（１）挟み  （２）腕部  （３）球形支柱  （４）留穴  （５）拡張切りこみ
（６）拡張切りこみ破損防止穴  （７）吊り下げヒモ穴  （８）吊り下げヒモ
（９）靴下
【図１】
2012161585.tif 000003
【図２】
2012161585.tif 000004
(57)【要約】      （修正有）【課題】スイングが正しい方向に腕が振れているか、また、スイングを正しく修正してくれるウィングを提供する。【解決手段】初心者、下級者、中級者のためにシャフトにウィングを取り付け、ゴルフをより楽しくなるように発明したウィングである。ウィングは脱着が出来るようにしたもので、ウィングを内向きに向ける事でスライスが打て、外向きにするとフックが打てる、正面に付けるとスィングにブレがなくなるウィングである。【選択図】図１
2012161581.tif 000002
【特許請求の範囲】
【請求項１】
ゴルフシャフトに可変式シャフト（羽）を取り付ける。
【請求項２】
真後ろ、右側（内向き）、左側（外向き）と方向を変える事が出来る。
【請求項３】
脱着する事が出来るようにしたウィングである。
【発明の詳細な説明】
【技術分野】
【０００１】  ゴルフ上達の為に発明したウィングである。スイングが正しい方向に腕が振れているか、また、それを正しく修正してくれるウィングであり技術上達のアイテムである。
【背景技術】
【０００２】  ゴルフは大変難しく、正しくスイングする事ができず、なかなか思った所には球が飛ばない。そこで正しくスイング出来るようにウイングをゴルフシャフトに取り付け、スイングで正しく腕が弧を描けるように修正してくれるウィングである。
【発明の開示】
【発明が解決しようとする課題】
【０００３】  ゴルフを始め初級者はスイングが定まらない為、右や左、ダフリ、トップと思うようには球に当らない。そこでこのウイングを付け練習する事で正しいスイングが身に付くのである。
【課題を解決するための手段】
【０００４】  ゴルフシャフトにウイング（羽）を取り付ける。シャフトが傷つかないように蝶番の内側にはゴムを貼り付ける。そうする事で滑り止めにもなるのである。
【発明の効果】
【０００５】  ゴルフ初心者は正しいスイングを覚え、中級者はウイングを内向き、外向きと方向を変えるだけでスライスボール、フックボールと打ち分ける事ができるのである。
【発明を実施するための最良の形態】
【０００６】  今、若者たちのゴルフブームでゴルフ熱が高まってきている。練習場は大盛況である。早く正しいスイングが出来るように、このウイングを広める事でゴルフがより楽しくなるのである。
【実施例】
【０００７】  このウイングは試作品で試したが、大変好評で中級者は練習場でフック、スライスと思い通りに打球が飛ぶと大好評である。また初級者はスイングが正しくなると好評である。
【産業上の利用可能性】
【０００８】  この練習用ゴルフウイングは打球が思った所に、思ったようにフックスライスと打ち分ける事が出来るので、ゴルフ場でプレイヤーの妨げにならないので楽しくプレーする事が出来るのである。故にゴルフ界の発展につながり産業上の利用に貢献するのである。
【図面の簡単な説明】
【０００９】
【図１】図面の名称（ア）ウイング（羽）  （イ）蝶番  （ウ）パッキン  （エ）シャフト  （オ）ストッパー、ネジ  （カ）ドライバー  （キ）ラバ（ゴム）
【図１】
2012161581.tif 000003
(57)【要約】【課題】洗濯物の挿脱が容易であり、かつ劣化しにくい洗濯ばさみを提供すること。【解決手段】一対の磁石を備え、その間に洗濯物が挿脱可能な洗濯ばさみであって、球状または楕円状の、N極及びS極の一対の磁石からなる挟持部１３と、挟持部を連結させるアーム部１４とからなり、洗濯物を磁石の間に挿入し、挟持し、抜出することを特徴とする洗濯物ばさみ。【選択図】      図１
2012161580.tif 000002
【特許請求の範囲】
【請求項１】
一対の磁石を備え、その間に洗濯物が挿脱可能な洗濯ばさみであって、
球状または楕円状の、N極及びS極の一対の磁石からなる挟持部と、
前記挟持部を連結させ、弾性のあるアーム部とからなり、
洗濯物を磁石の間に挿入し、挟持し、抜出することを特徴とする洗濯物ばさみ。
【請求項２】
請求項１に記載の洗濯ばさみであって
前記挟持部の前記一対の磁石は、プラスチック、アルミ、ステンレスで覆われ、
前記アーム部は、弾性のある、シリコン、プラスチック、ワイヤからなることを特徴とする洗濯ばさみ。
【請求項３】
請求項１に記載の洗濯ばさみであって、
前記一対の磁石は、挟持部の全体または一部分が磁石であることを特徴とする洗濯ばさみ。
【請求項４】
請求項１に記載の洗濯ばさみであって、
前記一対の磁石は、洗濯物と接触する部分にローラ又は球状の磁石を備えることを特徴とする洗濯ばさみ。
【発明の詳細な説明】
【技術分野】
【０００１】
本発明は、洗濯ばさみに係り、より詳細には、一対の磁石を備え、その間に洗濯物を挿脱する洗濯ばさみに関する。
【背景技術】
【０００２】
図３に示す従来の洗濯ばさみは、木製やプラスチック製の挟持片１０と弾性のあるワイヤ１１とから成り、手で挟持片を開閉し、挟持部１２に洗濯物を挿脱する。また一般的には、洗濯物を強力に挟持するため、挟持部はギザギザの形状である。最近では、特許文献１に記載の発明のように、挟持部のギザギザの形状が乾燥した洗濯物に残らないように、挟持部を球形にした洗濯ばさみもある。
【先行技術文献】
【特許文献】
【０００３】
【特許文献１】特開２００７−０８３００４号公報
【特許文献２】特開平０８−０７１２９３号公報
【発明の概要】
【発明が解決しようとする課題】
【０００４】
ところで、従来の洗濯ばさみは、洗濯物を挿脱する度に挟持片を手で開閉しなくてはいけないため、煩わしく感じることが少なくない。また、手先が不自由な方にとって、弾性の強い洗濯ばさみの開閉は困難でもある。挟持片を手で開かずに洗濯物を引っ張り抜くことも可能であるが、洗濯物が傷んだり、洗濯ばさみそのものが破損したりする恐れがあるため、好ましくない。また、木材やプラスチック製の洗濯ばさみは、洗濯物を干す際に外気にさらされることで劣化し、破損する問題もあった。
【０００５】
特許文献２には、このような手で挟持片を開閉する煩わしさや困難さを解消するために、従来のギザギザの挟持部の代わりにローラを設け、洗濯物を滑り入れることで洗濯物を容易に挿脱する発明が記載されている。しかし、従来の洗濯ばさみと同様に、材質の劣化による破損は防止できなかった。
【０００６】
そこで本発明は、洗濯物の挿脱が容易であり、かつ劣化しにくい洗濯ばさみを提供することを課題とする。
【課題を解決するための手段】
【０００７】
本発明による洗濯ばさみは、洗濯物を挟持するための一対の磁石と、磁石を連結させるアーム部分とからなる。より洗濯物を挿脱しやすいよう、洗濯物と接触する部分にローラや球状の磁石を備えてもよい。
【発明の効果】
【０００８】
本発明は、磁石の洗濯ばさみの間に洗濯物を挿脱するため、従来の洗濯ばさみの挟持片を開閉する煩わしさや困難さを解消することができる。また、木製やプラスチック製の従来の洗濯ばさみとは異なり、劣化しにくい磁石を用いることで洗濯ばさみの破損を防止することができる。
【図面の簡単な説明】
【０００９】
【図１】本発明の全体を表す図。
【図２】ローラを備えた本発明を表す図。
【図３】従来の洗濯ばさみを表す図。
【発明を実施するための形態】
【００１０】
図１及び図２を参照し、本発明を説明する。
本発明の選択ばさみは、挟持部１３とアーム部１４とからなる。挟持部は、N極とS極の一対の磁石からなり、磁石の吸引力を利用し、磁石の間に洗濯物を挿入し挟持する。洗濯ばさみをハンガー等にぶら下げてもよく、洗濯物を下から挿入し、容易に洗濯物を挿脱することができる。
挟持部は、全体または一部分が磁石であり、例えば、洗濯物と直接接触する部分など、洗濯物を挟持するために必要な部分のみが磁石であってもいい。また、洗濯物の挿脱がより容易になるように、洗濯物と接触する部分にローラや球状の磁石１５を埋設してもよい。
【００１１】
磁石の表面は、磁石の錆つき等を防止するため、プラスチック、アルミ、ステンレス等の素材で覆われている。一対の磁石を連結させるアーム部は、洗濯物の重みや洗濯物を抜出する際にかかる力に対する耐性と、挟持部の開閉に耐える弾性とを備えた、シリコン、プラスチック、ワイヤ等からなる。
【００１２】
本発明の一実施形態として、洗濯ばさみの挟持部は、洗濯物を挿入しやすいように、また、シンプルかつさくらんぼのようにかわいらしい見た目になるように、球状の磁石である。ただし、磁石の形状は球状に限定されず、楕円等他の形状であってもよい。
【符号の説明】
【００１３】
１０          挟持片
１１          ワイヤ
１２、１３    挟持部
１４          アーム部
１５          ローラまたは球状の磁石
【図１】
2012161580.tif 000003
【図２】
2012161580.tif 000004
【図３】
2012161580.tif 000005